(57)【要約】電圧サージ保護装置は、消弧室５４に対向して配置された固定電極１２および可動電極２２を有する。可動電極２２は機構３２、電気機械アクチュエータおよび電磁回路３１の少なくとも一方により駆動される。静止時には、可動電極２２は固定電極１２から離れた位置にある。電極間に電圧サージが生じると、アークが生じて室５４内に延び、室内で消失する。アークが持続すると、特に高いエネルギの続流がある場合、可動電極２２が固定電極から離れた接続解除位置まで駆動され、これによりアークの長さを室内よりも長くしてその消失を容易にし、回路を切断するという効果がある。一対の接点１６および２０を電極１２および２２に直列に結合し、一方の接点を固定とし、他方を可動電極に固定する。火花ギャップ６０を、電極に結合させてもよい。
2005528752.tif 000002
【特許請求の範囲】
【請求項１】
第１電極（１２，１１２）と、
第２電極（２２，１２２）と、
前記第１電極（１２，１１２）と前記第２電極（２２，１２２）との間に生じるアークにより発生するエネルギを消散させる手段（５８，１５８）を有する第１消弧室（５４，１５４）と、からなる電圧サージ保護装置であって、該装置は、
第２電極（２２，１２２）に固定され、静止位置と退避位置との間で第１電極（１２，１１２）と相対的に移動可能な可動支持体（２０，１２０）と、
可動支持体を前記静止位置から退避位置まで駆動する駆動手段（３２，１５２）と、を更に有し、前記第２電極（２０，１２０）は前記可動支持体が静止位置にあるときに前記第１電極からゼロではない第１の距離だけ離れた位置にあり、前記可動支持体が静止位置から退避位置に移動すると前記第１電極から離れることを特徴とする装置。
【請求項２】
前記可動支持体が前記第２電極を前記第１電極から前記第１の距離より短い距離を駆動することを防止するストッパ（３０，１２３）を更に有することを特徴とする、請求項１記載の装置。
【請求項３】
前記可動支持体を静止位置まで戻す戻しばね（２８）を更に有することを特徴とする、請求項１または２記載の装置。
【請求項４】
前記駆動手段は機構を有し、該機構は、
圧縮位置と開放位置との間で移動自在なばね（４８）を備えたエネルギ貯蔵装置と、
該エネルギ貯蔵装置が圧縮位置から開放位置まで移動するときに、エネルギ貯蔵装置を可動支持体に連結させて該可動支持体を静止位置から退避位置まで駆動する運動連結装置と、
前記エネルギ貯蔵装置を圧縮位置にラッチするキャッチ（５０）と、を更に有することを特徴とする、請求項１乃至３の何れかに記載の装置。
【請求項５】
前記機構は、前記第１電極および前記第２電極を流れる電流およびこれら電極間の電位差の少なくとも一方が、検知手段（１７４）により検知された状態を満たす場合に前記キャッチのラッチを外すトリップ手段（５２）を更に有することを特徴とする、請求項４に記載の装置。
【請求項６】
前記駆動手段は、電流が前記第２電極に流れたときに前記第２電極（２２）および可動支持体（２０）の少なくとも一方に電磁力を発生させて可動支持体（２０）を退避位置に駆動する電磁回路（１４，１８，３１）を有することを特徴とする、請求項１乃至５の何れかに記載の装置。
【請求項７】
前記駆動手段は、開放状態が検知されたときに可動支持体に突き当たり、該可動支持体を退避位置に駆動するストライカ（１５２Ｄ）を備えた電気機械リレー（１５２）を有することを特徴とする、請求項１乃至６の何れかに記載の装置。
【請求項８】
前記第１および第２電極間の電気アークを始動させる始動手段（６０）を更に有することを特徴とする、請求項１乃至７の何れかに記載の装置。
【請求項９】
前記始動手段は、前記第１および第２電極間の電位差を検知する検知回路（７４，１７４）と、
前記第１および第２電極間の電位差が予め設定された条件を満たすときに固定電極および可動電極間のアークを始動させる始動回路と、を更に有することを特徴とする、請求項８に記載の装置。
【請求項１０】
前記始動回路は、前記第１および第２電極間の電気アークを着火する始動電極（６０，１６０）と、
前記第１および第２電極の一方と前記始動電極との間に始動電圧を発生させる回路（７４，１７４）と、を更に有することを特徴とする、請求項９に記載の装置。
【請求項１１】
前記駆動手段は、前記可動支持体を退避位置から静止位置まで駆動する再初期化手段（３４）を有することを特徴とする、請求項１乃至１０の何れかに記載の装置。
【請求項１２】
前記再初期化手段は前記可動支持体を静止位置まで戻す戻りばね（２８）を有することを特徴とする、請求項１１に記載の装置。
【請求項１３】
前記可動支持体が退避位置にあることを表示する表示手段（３４）を更に有することを特徴とする、請求項１乃至１２の何れかに記載の装置。
【請求項１４】
前記装置を電線およびアースに接続するための一対の接続ストリップを更に有し、該一対の接続ストリップは、前記第１電極と永久的に電気的に接続された第１接続ストリップ（１４）と、少なくとも前記可動支持体が静止位置にあるときに前記第２電極と電気的に接続される第２接続ストリップ（１８）とからなることを特徴とする、請求項１乃至１３の何れかに記載の装置。
【請求項１５】
前記第２電極は、前記第２接続ストリップと永久的に電気的に接続されていることを特徴とする、請求項１４に記載の装置。
【請求項１６】
前記第１および第２電極間に前記第１電極から固定された距離だけ離れて設けられた第３固定電極（１２３Ａ）と、
該第３および第２電極間に設けられた第４固定電極（１２３Ｂ）と、を更に有し、該第４電極は前記第３電極と永久的に電気的に接続され、前記第２電極が静止位置にあるときには該第２電極は前記第４電極と接続され、前記第２電極が退避位置にあるときには前記第２電極は前記第４電極から離れ、前記消弧室は前記第３および第１電極間に生じるアークにより発生するエネルギを消散させる手段（１５８）を備えることを特徴とする、請求項１乃至１５の何れかに記載の装置。
【請求項１７】
第３電極（１６）と、
前記可動支持体に固定されて前記第２電極（２２）と永久的に電気的に接続されると共に、前記可動支持体が静止位置にあるときには前記第３電極に対して接続位置にあり、前記可動支持体が退避位置にあるときには前記第３電極から離れた位置にある第４電極（２４）と、
前記第３および第４電極間に生じるアークにより発生するエネルギを消散させる手段（５８）を備えた第２消弧室（５６）と、を更に有することを特徴とする、請求項１乃至１３の何れかに記載の装置。
【請求項１８】
前記装置を電線およびアースに接続するための一対の接続ストリップを更に有し、該一対の接続ストリップは前記第１電極（１２）と永久的に電気的に接続された第１固定接続ストリップ（１４）と、少なくとも前記可動支持体（２０）が静止位置にあるときに第２電極（２２）と電気的に接続される第２接続ストリップ（１８）とからなり、
前記装置は、前記第２接続ストリップ（１８）と永久的に電気的に接続された第３固定電極（１６）と、
前記可動支持体に固定されて前記第２電極と永久的に電気的に接続されると共に、前記可動支持体が静止位置にあるときには前記第３電極に対して接続位置にあり、前記可動支持体が退避位置にあるときには前記第３電極から離れた位置にある第４電極（２４）と、
前記第３および第４電極間に引かれるアークにより発生するエネルギを消散させる手段（５８）を備えた第２消弧室（５６）と、を更に有することを特徴とする、請求項１乃至１３の何れかに記載の装置。
【発明の詳細な説明】
【技術分野】
【０００１】
本発明は、電線の電圧が所定の閾値を超えたときに電流波をアースに分流させる装置に関する。
【背景技術】
【０００２】
欧州特許０，０７１，９５６には、電圧サージから保護するための電気装置が記載されている。該装置は、火花ギャップ、回路遮断器、および電圧依存型抵抗器を有し、これらは２つの端子の間の共通のケース内で直列に接続されている。２つの端子の一方は電源の電線に接続され、他方は接地されている。回路遮断器の電磁トリップ装置は５ミリ秒以上の時間遅延機能を内蔵している。作動時には、回路遮断器が閉鎖され、火花ギャップはオフとなる。電圧サージが生じると、火花ギャップはオンとなり、対応する電流波をアースに流す。火花ギャップが５ミリ秒以上オンの状態を持続すると、回路遮断器が作動して回路を開く。この種の装置は、実質的に互いに相乗作用のない幾つかの機能をグループ化させる必要があるために比較的高価である。更に、火花ギャップ、回路遮断器およびそれらを接続する導体の蓄積されたインピーダンスは高く、保護電圧も高くなる。
【発明の開示】
【発明が解決しようとする課題】
【０００３】
したがって、本発明の目的は、従来技術の欠点を解決し、従来の火花ギャップの避雷器と回路遮断器との関連および同じ機能を提供する、簡単でコンパクトな装置を提案する。
【課題を解決するための手段】
【０００４】
本発明の目的は、上記目的を達成するために以下の装置を提供することである：
第１電極と、
第２電極と、
これら第１電極と第２電極との間に引かれるアークにより発生するエネルギを消散させる手段を有する第１消弧室と、からなる電圧サージ保護装置であって、該装置は、
第２電極に固定され、静止位置と退避位置との間で第１電極と相対的に移動可能な可動支持体と、可動支持体を静止位置から退避位置まで駆動する駆動手段と、を更に有し、第２電極は可動支持体が静止位置にあるときに第１電極からゼロではない第１の距離だけ離れた位置にあり、可動支持体が静止位置から退避位置に移動すると第１電極から離れることを特徴とする装置。
【０００５】
本装置の電極は、避雷器の電極の役割と回路遮断器の接点の役割を組み合わせ、直列に接続された避雷器と回路遮断器の場合よりも低いインピーダンスを端子に維持することが可能となる。駆動手段は、幾つかの機能をグループ化している。これらの機能は、ある状況では続流により発生した電気アークを消失させるのに貢献する。またこれらの機能は、寿命の終端で装置の接続を遮断する目的をも満たすことができる。得られる装置は、非常にコンパクトである。
【０００６】
また本装置は、可動支持体が第２電極を第１電極から第１の距離より短い距離を駆動することを防止するストッパおよび可動支持体の少なくとも一方を静止位置まで戻す戻しばねを更に有することが好ましい。これらの構成により、静止位置での第１および第２電極間の距離を正確に制御することが可能となる。
【０００７】
駆動手段は機構を有し、該機構は、
圧縮位置と開放位置との間で移動自在なばねを備えたエネルギ貯蔵装置と、
該エネルギ貯蔵装置が圧縮位置から開放位置まで移動するときに、エネルギ貯蔵装置を可動支持体に連結させて該可動支持体を静止位置から退避位置まで駆動する運動連結装置と、
エネルギ貯蔵装置を圧縮位置にラッチするキャッチと、を更に有することが好ましい。
【０００８】
該機構は、回路遮断機構であることが好ましい。要求される機能は、機構により非常に簡単に得られ、その信頼性は完全に保障される。この機構は、第１電極および第２電極を流れる電流およびこれら電極間の電位差の少なくとも一方が検知手段により検知された状態を満たす場合に、キャッチのラッチを外すトリップ手段を更に有することが好ましい。
【０００９】
該駆動手段は、電流が第２電極に流れたときに第２電極および可動支持体の少なくとも一方に電磁力を発生させて可動支持体を退避位置に駆動する電磁回路を有することが好ましい。この手段により、駆動手段は非常に早い速度を提供し、続流の制限を保証し、その消失機能を高める。
【００１０】
該駆動手段は、開放状態が検知されたときに可動支持体に突き当たり、該可動支持体を退避位置に駆動するストライカを備えた電気機械リレーを有していてもよい。リレーは、適切であれば如何なる公知のものであってもよい。特に、電磁リレー、圧電アクチュエータまたはトムソン効果アクチュエータであってもよい。
【００１１】
該装置は、第１および第２電極間の電気アークを始動させる始動手段を更に有することが好ましい。電気アークへの着火は、電極が浸っている環境が変動する誘電特性を有していても正確に制御することができる。したがって、誘電特性を正確に制御せきる気体を含む密閉された容器に設ける必要はない。一実施形態によれば、始動手段は、
第１および第２電極間の電位差を検知する検知回路と、
第１および第２電極間の電位差が予め設定された条件を満たすときに固定電極および可動電極間のアークを始動させる始動回路と、を有する。
【００１２】
非常に簡単でコンパクトな始動回路を得るために、該始動回路は、
第１および第２電極間の電気アークを着火する始動電極と、
第１および第２電極の一方と始動電極との間に始動電圧を発生させる回路と、を更に有する。
【００１３】
該駆動手段は、可動支持体を退避位置から静止位置まで駆動する再初期化手段を有することが好ましい。したがって、再始動を可能にする装置が得られる。静止位置へ戻す動作は、ハンドルに作用する作業員のエネルギにより手動で行うか、モータにより自動で行ってもよい。一実施形態によれば、再初期化手段は可動支持体を静止位置まで戻す戻りばねを有する。戻りばねは、エネルギ貯蔵システムばねとは別個のものであってもよい。または戻りばねは、タンブラー型機構において、エネルギ貯蔵システムばねと同一であってもよい。
【００１４】
該装置は、可動支持体が退避位置にあることを表示する表示手段を更に有することが好ましい。装置が機構に結合されたハンドルと備えている場合、このハンドルを表示手段として機能させることもできる。
【００１５】
該装置は、それを電線およびアースに接続するための一対の接続ストリップを更に有し、該一対の接続ストリップは、第１電極と永久的に電気的に接続された第１接続ストリップと、少なくとも可動支持体が静止位置にあるときに第２電極と電気的に接続される第２接続ストリップとからなるのが好ましい。
【００１６】
一実施形態によれば、第２電極は、第２接続ストリップと永久的に電気的に接続されている。
【００１７】
点火相を更に向上させるために、本装置は、第１および第２電極間に第１電極から固定された距離だけ離れて設けられた第３固定電極と、
該第３および第２電極間に設けられた第４固定電極と、を更に有し、該第４電極は第３電極と永久的に電気的に接続され、第２電極が静止位置にあるときには該第２電極は第４電極と接続され、第２電極が退避位置にあるときには第２電極は第４電極から離れ、消弧室は第３および第１電極間に引かれるアークにより発生するエネルギを消散させる。
【００１８】
このような実施形態は、特に低電力の設置に適している。
【００１９】
また、特に高電力の設置用として、本装置は
第３電極と、
可動支持体に固定されて第２電極と永久的に電気的に接続されると共に、可動支持体が静止位置にあるときには第３電極に対して接続位置にあり、可動支持体が退避位置にあるときには第３電極から離れた位置にある第４電極と、
第３および第４電極間に引かれるアークにより発生するエネルギを消散させる手段を備えた第２消弧室と、を有していてもよい。
【００２０】
より正確には、本装置は、
装置を電線およびアースに接続するための一対の接続ストリップを更に有し、該一対の接続ストリップは第１電極と永久的に電気的に接続された第１固定接続ストリップと、少なくとも可動支持体が静止位置にあるときに第２電極と電気的に接続される第２接続ストリップとからなり、
該装置は、第２接続ストリップと永久的に電気的に接続された第３固定電極と、
可動支持体に固定されて第２電極と永久的に電気的に接続されると共に、可動支持体が静止位置にあるときには第３電極に対して接続位置にあり、可動支持体が退避位置にあるときには第３電極から離れた位置にある第４電極と、
第３および第４電極間に引かれるアークにより発生するエネルギを消散させる手段を備えた第２消弧室と、を更に有していてもよい。
【００２１】
その他の利点および特徴は、限定を目的としない、以下の本発明の実施形態の記載および添付図面により更に明らかとなろう。
【発明を実施するための最良の形態】
【００２２】
図１〜３を参照すると、本発明の第１実施形態の装置は、絶縁性の剛性樹脂製のケース１０と、その内部に設けられた接続ストリップ１４に接続された固定電極１２と、別の接続ストリップ１８に接続された固定接点１６と、金属ブリッジ２０とを有する。ブリッジ２０は固定電極１２と対向して設けられた可動電極２２を一端に有すると共に、固定接点１６と対向して設けられた可動接点２４を他端に有する。ブリッジ２０は、戻りばね２８により軸２６に取り付けられ、可動接点２４を固定接点１６に向けて押圧する方向にブリッジ２０を付勢する。ブリッジ２０は、図１に示す静止位置から図２に示す退避位置まで軸２６と相対的に移動するようになっている。ケースにはストッパ３０が固定されており、ブリッジ２０がストッパ３０に当接する。ストッパ３０は、両電極を互いに静止位置よりも接近する動きを防止する。接続ストリップ１４および１８はＣ字状を成し、それらを電流が流れたときに発生する磁力線を集束させる。更に、ストリップ１８は、磁力線を接点１６および２４のゾーンに更に集束させるＵ字状の磁気回路３１を包囲している。軸２６は、機構３２により駆動され、図１に示す閉鎖位置と図３に示す遮断位置との間で、これら図面の平面と垂直な仮想幾何学的軸線３４の回りを回転する。この機構は公知の二重遮断回路遮断器構であり、これは例えばFR2,684,249に詳細に記載されている。この機構は、固定軸線３６回りを回転するハンドル３４と、固定軸線４０回りに回転するラッチ３８と、ラッチ３８に関節運動自在に設けられた第１ロッド４２と、第１ロッド４２と軸２６とに関節運動自在に設けられた第２ロッド４４と、ハンドル３４とロッドシステム４２および４４の関節部とキャッチ５０との間に嵌合されて、ラッチ３８を図１の位置にホックで留めるための引張ばね４８とからなる。キャッチは、電気機械リレー５２により作動する。
【００２３】
電極１２および２２に対向して消弧室５４が設けられ、接点に対向してもう１つの消弧室が設けられる。各室５４，５６には、電気アークを冷却するように設計された冷却フィン５８が設けられている。
【００２４】
図４に示すように、本装置は、その接続ストリップの一方を介して電線７０に接続され、他方の接続ストリップを介してアース７２に接地されている。接続方向の規定はない。始動電極６０が、２つの電極１２、２２間に設けられる。始動電極６０は、ブリッジと固定電極との間に接続された電気始動回路７４により制御される。電気始動回路７４は、可動電極２２と固定電極１２との間の電位差を検知する。トリップ装置７６は、測定トロイドによりアースに流れる電流の強さを検知し、電気機械リレー５２に指令を出す。装置の端子での電圧サージの特性の情報、および装置に流れる電流の特性の情報、特に電光閃光の数、記録された電光閃光の最大値、および電光閃光の継続時間に関する特性の情報を検知し、記録し、送信するシステムが更にトリップ装置に結合されている。
【００２５】
本装置は、以下のように作動する。
【００２６】
本装置は、通常は、図１に示す静止位置にある。接続ストリップ１４と１８との間の回路は電極１２と２２との間に存在する間隙のために開いている。電線に電圧サージ、例えば電光による電圧サージが生じると、始動回路７４により電位差が検知される。この電位差が所定の閾値を超えると、始動回路７４は始動電極６０を充分な電位まで上昇させ電極１２と２２の間にアークを当てる。このアークは、ブリッジ２０の運動を生じさせずに接続ストリップ１４、１８間の電気回路を閉鎖し、電流波をアースに流す。接続ストリップ１４はＣ字状であるため、電気アークは消弧室５４に放射され、電気アークから放出されるエネルギの一部を吸収し、アーク電圧を上昇させ、アークを消失させることができる。
【００２７】
しかし、アーク電流の強さが非常に高い場合、磁気回路３１により補強されている接続ストリップ１４および接続ストリップ１８は、接点ブリッジ２０に対して充分な反発電磁力を発生させて、図２に示す位置に到達するまで、軸２６を運動させることなく戻りばね２８の付勢力に対抗して接点ブリッジ２０を回転させる。この運動により、可動接点２４と固定接点１６とが分離される。接点１６と２４との間に、二次電気アークが生じる。この二次電気アークは、Ｃ字状の接続ストリップ１８によって発生する電磁力の影響により、消弧室５６に放出される。ブリッジ２０よりも長い連続する２つのアークが電極１２と２２との間、および接点１６と２４との間の伸びた距離により、退避位置に接近する。初期電流波が通過する際の接続ストリップ１４と１８との間の電圧は、初期波の影響を制限しないようになっている。直列の２つのアークにより蓄積されたアーク電圧は、続流を大幅に制限または殆ど消失するのに充分である。アークは消失し、電流波が通過するとすぐに装置は再生する。
【００２８】
しかし、電極間の電気アークが所定の時間よりも長く持続すると、トリップ装置７６はこの不具合を検知して、軸およびブリッジを図３の位置まで駆動する機構３２に開くよう指令を出す。この位置では、一方ではブリッジ２０と固定電極１２との間、他方ではブリッジ２０と固定接点１６との間の空間において積み上がった距離により電線とアースとの間の遮断が保証される。この切断状態は、ハンドル３４、適切な表示ランプ、指示器またはその両方により示される。したがって、この機構のトリップは例外的条件で生じ、電線とアースとの間で確立された回路の遮断手段で選択的に保証される。
【００２９】
この機構は、長い遅延トリップを実行する熱開放装置をも備えている。したがって、電線とアースとの間の電流を確立する擬似的な電気アークを生じさせる電極間で不都合が生じると、機構が開いて電線とアースとの接続を遮断する。
【００３０】
必要であれば、この機構をハンドルにより閉鎖して図１のリセット状態に戻すこともできる。したがって、この機構は保守作業の後に再度閉じることができる。
【００３１】
種々の代替的な実施形態も、可能である。特に、可動電極と固定電極との間の距離を保証するストッパ３０を、その機能を発揮できる如何なる場所に設置してもよい。特に、駆動機構は、回路遮断接点を駆動させる公知のものであってもよい。駆動機構は、閉鎖ばねと開放ばねを個別に有していてもよい。必要であれば、可動電極は回転運動ではなく並進運動でもよい。
【００３２】
電磁反発力は、任意である。実際には、上記機構により電極をその開放相まで移動させずに直接電流相から出発することも可能である。
【００３３】
図示しないが、別の実施形態によれば、幾何学的回転軸線３４に対して対称な装置であって、一対の接点１６および２４を電極１２および２０と同一の一対の電極と置き換え、両者の間に電極６０と同一の始動電極を設けた装置も可能である。
【００３４】
上記原理を、一対の接点を持たずに、単一の消弧室に対向して設けられた固定電極および可動電極だけを有する単一の遮断構造と置き換えることも可能である。
【００３５】
図５および６を参照して、本発明の第２実施形態の装置を説明する。この装置は、絶縁材料でできたケース１１０内に収納され接続ストリップ１１４に接続された固定電極１１２と、固定軸線回りに旋回するアーム１２０により支持されると共に接続ストリップ１１８に接続された可動電極１２２と、を有する。この装置はまた、電極１１２に対向する固定電極１２３Ａ（図６）を構成する面と、可動接続電極１２２が当接する接続電極を構成する反対面１２３Ｂ（図６）とを有する固定導通パッド１２３を備えている。これらの電極は、冷却フィン１５８を備えた消弧室１５４に対向して設けられている。消弧室１５４は、固定電極１１２に電気的に接続された下部アークホーン１５８Ａと、接続ストリップ１１８に接続された上部アークホーン１５８Ｂとを備えている。
【００３６】
接続ストリップ１１４とパッド１２３との間の電位差を検知する始動回路１７４により制御される始動電極１６０は、固定電極とパッドとの間に設けられる。電気機械リレー１５２が、旋回アームに対向して設けられる。リレーは、接続ストリップ１１４と固定電極１１２との間に直列に接続されたコイル１５２Ａと、磁気回路を形成するヨーク１５２Ｂと、ストライカ１５２Ｄにより伸びた可動アーマチュア１５２Ｃと、該アーマチュアを図５および図６の左側から、ばねにより静止位置に戻す戻りばね１５２Ｅとを有する。
【００３７】
作動時には、接続ストリップ１１４および１１８の一方が電線に接続され、他方が接地されている。固定電極１１２がパッド１２３の電極１２３Ａから離れて配置されているため、この装置はＯＮ状態にはない。固定電極１１２およびパッド１２３の電位差が所定の閾値を超えると、始動電極１６０の電圧が、始動電極と電極の一方との間でアークが発火する値まで、始動回路１７４により上昇する。固定電極１１２とパッド１２３との間でこのアークが直ちに確立され、電流は接続ストリップ間の経路に流れ、固定電極１１２を介して静止位置にあるパッド１２３、可動電極１２２およびアーク１２０を流れる。電極１１２のこのループ形状は、アークを室に進ませる電磁力をアークに誘発する。したがって、このアークはアークホーン１５８Ａおよび１５８ＢをＯＮとし、室内に貫通して電流波の最後に消失する。アークが消失することで回路が開き、電線はアースから絶縁される。アークの全体の寿命は数十マイクロ秒であり、アークが不活性であるため、この寿命はリレーが作動しない充分な短さである。
【００３８】
しかし、ある状況下では、電気アークは続流または電極の経時劣化の何れかの理由により電極１１２とパッド１２３との間で持続する場合がある。そのような場合、電気機械リレーが充分長い時間供給されて可動アーマチュア１５２Ｃを駆動し、その端部１５２Ｄがアーム１２０に突き当たり、それを図６に示すように回避位置まで突き出す。その後アークは、固定電極と可動電極との間で切り替わり、室に入るまで伸びてそこで消失する。アーム１２０が伝送速度を落とすのを防ぐために、ラッチを設けてもよい。アームが静止位置に戻れるように、リセット機構を設けてもよい。
【００３９】
当然種々の変形例が、可能である。
【００４０】
第２実施形態では、上部アークホーンを接続ストリップに電気的に接続する必要はない。また、接続圧を保証するための装置を第２実施形態に設けてもよい。
【００４１】
始動方法は任意であり、適切な手段で始動させてよい。固定電極と可動電極との間でガスをイオン化可能な２つの始動電極により始動させてもよい。
【図面の簡単な説明】
【００４２】
【図１】初期位置にある第１実施形態による装置を示す図。
【図２】反発位置にある図１の装置を示す図。
【図３】作動位置にある図１の装置を示す図。
【図４】電圧サージ保護回路に組み込まれた図１の装置の配線図。
【図５】初期位置にある第２実施形態による装置を示す図。
【図６】退避位置にある図５の装置を示す図。
【符号の説明】
【００４３】
１２，１１２  固定電極
１６，２０  接点
２２，１２２  第２電極（可動電極）
３１  電磁回路
３２，１５２  駆動手段（機構）
５４  消弧室
６０  火花ギャップ
【図１】
2005528752.tif 000003
【図２】
2005528752.tif 000004
【図３】
2005528752.tif 000005
【図４】
2005528752.tif 000006
【図５】
2005528752.tif 000007
【図６】
2005528752.tif 000008
【国際調査報告】
2005528752.tif 000009
2005528752.tif 000010
2005528752.tif 000011
2005528752.tif 000012